(57)【要約】【課題】授業中であっても随時ラーフルに付着した粉落とし作業を可能とするチョーク・マーカー用容器を提供することを課題とする。【解決手段】チョーク・マーカー用容器を通常及び上下を逆にした場合においても、粉受け部内に納まり、且つ前記粉受け部に沿って摺動可能且つ容易に取外し及び取付けが可能であり、通常時の場合の底面に移動方向に対し直交方向に粉落とし孔を適宜間隔で複数設け、粉落とし孔間の底面残存部の表面に、粉落とし凹部を設け、前記底面残存部裏面に断面三角形状などの粉落とし凸部を形成し、左右側壁面に、複数のチョーク溝を設けたことを特徴とするチョーク・マーカー用容器。【選択図】図１
2015229348.tif 000002
【特許請求の範囲】
【請求項１】
通常の場合及び上下逆にした場合のいずれの場合でも、粉受け内部に収まり且つ前記粉受け部に沿って摺動可能であって、底面に前記移動方向に対し直交方向に粉落とし孔を適宜間隔を開けて複数儲け、左右の側壁に複数のチョーク溝を設け、外側面に前記粉受け部に差し込める差込部を形成したことを特徴とするチョーク・マーカー用容器。
【請求項２】
前記底面の残存部表面に粉落とし凹部を設けたことを特徴とする請求項１に記載のチョーク・マーカー用容器。
【請求項３】
前記底面の残存部裏面に三角形状などの粉落とし凸部を形成した請求項１又は請求項２に記載のチョーク・マーカー用容器。
【請求項４】
前記底面の残存部裏面に半円状の突起を複数設けたことを特徴とする請求項１又は請求項２に記載のチョーク・マーカー用容器。
【発明の詳細な説明】
【技術分野】
【０００１】      本発明は、黒板及びホワイトボードの粉受け部内に配備してチョークやマーカーを収納するチョーク・マーカー用容器及びラーフルに付着したチョーク粉を落とす粉落とし具に関するものである。
【背景技術】
【０００２】      通常黒板の板書には、チョークを使用し、不要な筆記を消すためにラーフル（黒板拭き）を使用して消すが、繰り返し使用することでラーフルには多量のチョーク粉が付着する。付着したチョーク粉を落とさないと、黒板面を綺麗に消すことができない。【０００３】      しかし、ラーフルのチョーク粉落とし作業は、電動式のラーフルクリーナーの使用や窓の外でラーフルを叩いてチョーク粉を落とすなど、騒音やチョーク粉の飛散といった問題があるため、授業中に行われることは無く、休憩時間や清掃時にのみ行われている。【０００４】      そのため、授業中は、綺麗に消せない状態のラーフルを使用しなければならず、汚れたラーフルにチョーク粉が更に付着し、より綺麗に消せない状態になる悪循環となる。【０００５】      板書中は粉受けに直接チョークを置くこととなり、板書やラーフルの使用などで落下したチョーク粉がチョーク全体に付着し、板書の際に手を汚す原因となっている。【０００６】      マーカーを用いるホワイトボードでも、ラーフルの表面に付いたマーカーの水性塗料が乾燥し、粉末化して、チョークと同様の問題が生じる。
【先行技術文献】
【特許文献】
【０００７】
【特許文献１】特許第３３１２８１７号
【発明の概要】
【発明が解決しようとする課題】
【０００８】      授業中であっても随時ラーフルに付着したチョーク粉落とし作業を可能とするチョーク・マーカー用容器を提供することを課題とする。【０００９】      粉受け上には、チョーク粉が落下しており、その上にラーフルを置くことになるので、ラーフルにチョーク粉が付着し、払拭面を更に汚してしまうため、ラーフルのチョーク粉落とし作業は頻繁に行う必要があるが、ラーフルのチョーク粉落とし作業は、騒音やチョーク粉の飛散が伴うため、休憩時間や清掃時間になるまで行われないため、授業中は黒板面を綺麗に払拭できない状態で使用している。【００１０】      使用中のチョークやマーカーは、粉受けに直接置かれることが多く、チョークの持ち手部分にチョーク粉が付着し、手を汚してしまう原因となっている。【００１１】      特許文献１で提案されているチョーク・マーカー用容器は、内側底面に高低差を設けた形状であるため、加工にコストが掛かり、高低差を付けないものと比較すると弾性や可撓性に劣るため、粉受けへの設置や摺動が容易に行えない。
【課題を解決するための手段】
【００１２】      チョーク・マーカー用容器を通常及び上下を逆にした場合においても、粉受け部内に納まり、且つ前記粉受け部に沿って摺動が可能であり、また、容易に取外し及び取付けが可能であり、通常時の場合の底面に摺動方向に対し直交方向に粉落とし孔を適宜間隔で複数設け、粉落とし孔間の底面残存部の表面に、粉落とし凹部を設け、前記底面残存部裏面に断面三角形状などの粉落とし凸部を形成し、左右の側壁面に、複数のチョーク溝を設けたことを特徴とするチョーク・マーカー用容器。【００１３】      前記チョーク・マーカー用容器を上下逆にして、前記粉受けに設置し、その上にラーフルを置いて少し力を入れて横に移動させることで、ラーフルの払拭面が粉落とし凸部にこすられてチョーク粉を掻き落とし、落とされたチョーク粉は、粉落とし孔を通って粉受け上に落とす。
【発明の効果】
【００１４】      上下を逆にして粉受けに設置したチョーク・マーカー用容器に対し、ラーフルの払拭面を粉落とし凸部にこすりつけることで、付着しているチョーク粉を落とせるため、騒音や粉の飛散を最小限に抑えることができ、授業中でもチョーク粉落とし作業が行える。【００１５】      粉受けに設置したチョーク・マーカー用容器の左右の側壁に設けたチョーク溝のいずれかにチョークを置くことで、チョークが斜めになり、チョーク本体に落ちたチョーク粉が付着することが無く、また、チョークの先を、粉落とし凹部にこすりつけることで、チョークの先に着いたチョーク粉を落とすため、余分なチョーク粉の飛散や黒板への付着を防ぐことができる。また、マーカーを同様にキャップ側を下にして置くことで、水性液がペン先に集まり、ペン先の乾燥が防止される。【００１６】      粉受けのガイド溝に沿って摺動可能であり、また、容易に取外し、取付けが可能であるため、黒板が７ｍを超える超大型黒板でも使用場所を移動して使用できる。
【図面の簡単な説明】
【００１７】
【図１】チョーク・マーカー用容器を備え付けた黒板の概略斜視図
【図２】チョーク・マーカー用容器の概略正面図
【図３】チョーク・マーカー用容器の概略側面図
【図４】チョーク・マーカー用容器の通常使用時の概略平面図
【図５】チョーク・マーカー用容器の通常使用時の概略底面図
【図６】チョーク・マーカー用容器の通常時の使用状態を示す斜視図
【図７】チョーク・マーカー用容器の上下逆にした使用状態を示す斜視図
【図８】粉受けの一例を示す概略断面図
【図９】チョーク・マーカー用容器のチョーク溝を利用した使用状態を示す斜視図
【図１０】チョーク・マーカー用容器を粉受けに通常に設置した使用状態を示す概略平面図
【図１１】チョーク・マーカー用容器を粉受けに通常に設置した使用状態を示す概略側面断面図
【図１２】チョーク・マーカー用容器を粉受けに上下逆に設置した使用状態を示す概略平面図
【図１３】チョーク・マーカー用容器を粉受けに上下逆に設置した使用状態を示す概略側面断面図
【発明を実施するための形態】
【００１８】      黒板及びホワイトボード１０の周囲は通常アルミ製黒板枠１４が取り付けられている。本発明では、粉受け部１１の前後内側面に、全長に亘るガイド溝１２が設けられているとする。
【００１９】      チョーク・マーカー用容器１の底部が前記粉受け部１１に対応する曲面形状で、前記粉受け部１１に密接に乗せることができ、且つ、前記粉受け部１１上を摺動できるように構成される。
【００２０】      前記チョーク・マーカー用容器１の外側面に前記ガイド溝１２に対応する位置に差込部２が、左右に上下２段で設け、前記チョーク等用容器１の側面から底面にかけ、適宜間隔置きに多数の粉落とし孔３が設けられ、底面残存部７の表に粉落とし凹部４を設け、前記底面残存部７の裏側に三角形状の粉落とし凸部５を設け、前記チョーク・マーカー用容器１の左右の側壁部８に、半円状のチョーク溝６を複数設ける。
【００２１】      前記チョーク・マーカー用容器１の前記差込部２を、コーナーパーツ１３を外して横から、前記ガイド溝１２に差込み、前記粉受け部１１に嵌め込んでもよいが、塩化ビニールなどの弾性、可撓性資材で形成し、上方から前記粉受け部１１に押し込み、前記差込部２を前記ガイド溝１２に嵌め込むようにする。その場合、前記チョーク・マーカー用容器１の通常使用から上下逆にする作業も容易に行える。
【００２２】      前記差込部２は、片側側面に左右に上下２段で設けているが、前記粉受け部１１の形状に対応させたものである。例えば前記チョーク・マーカー用容器１を上下逆に設置する場合、通常設置時の下段の前記差込部２だけで構成されていると、前記差込部２より上の部分が前記粉受け部１１の湾曲面に当たるため、前記差込部２を前記ガイド溝１２に嵌め込むことができないためである。前記粉受け部１１の形状や前記ガイド溝１２の設置位置を変更することで、前記差込部２の数や位置は変更できる。
【００２３】      上下逆にした前記チョーク・マーカー用容器１を、前記粉受け部１１に設置し、前記粉落とし凸部５の上面にラーフルの払拭面を置いて少し力を入れて横に移動させることで、前記粉落とし凸部５の頂点がラーフルの払拭面に食い込むため、良好なチョーク粉落とし作業が行え、落とされたチョーク粉は、前記粉落とし孔３を通って、粉の飛散を極力押さえながら前記粉受け部１１上に落ちる。
【００２４】      前記粉落とし凸部５を形成しなくてもよく、ラーフルの払拭面が各前記粉落とし孔３の角にこすられ、チョーク粉が掻き落とされる。
【００２５】      前記チョーク溝６を介してチョーク又はマーカー９を斜めに置くことで、前記粉受け部１１に直接置かないため、前記粉受け部１１に溜まったチョーク粉が前記チョーク又はマーカー９の持ち手部分に付着せず、手を汚すことが無い。また前記マーカー９の場合は、キャップ側を下にして置くことで、水性液がペン先に集まるため、ペン先の乾燥を防止することができる。左右の前記側壁部８に前記チョーク溝６を設けているので、利き手による使用感の違いが無い。
【００２６】      前記粉落とし凹部４に前記チョーク９を軽くこすることで、前記チョーク９の先端に付いている余分なチョーク粉を落とすことができる。
【００２７】      前記粉落とし凸部５の形状は、断面三角形状に限定されるものではなく、半円状の突起を複数設けても良い。
【符号の説明】
【００２８】    １      チョーク・マーカー用容器
２      差込部
３      粉落とし孔
４      粉落とし凹部
５      粉落とし凸部
６      チョーク溝
７      底面残存部
８      側壁部
９      チョーク又はマーカー
１０    黒板及びホワイトボード
１１    粉受け
１２    ガイド溝
１３    コーナーパーツ
１４    アルミ製黒板枠
【図１】
2015229348.tif 000003
【図２】
2015229348.tif 000004
【図３】
2015229348.tif 000005
【図４】
2015229348.tif 000006
【図５】
2015229348.tif 000007
【図６】
2015229348.tif 000008
【図７】
2015229348.tif 000009
【図８】
2015229348.tif 000010
【図９】
2015229348.tif 000011
【図１０】
2015229348.tif 000012
【図１１】
2015229348.tif 000013
【図１２】
2015229348.tif 000014
【図１３】
2015229348.tif 000015